【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）において、
ノードＢから、ランク情報およびオフセット情報を受信するように構成された送受信機と、
前記オフセット情報およびプライマリストリームの送信電力関連情報を使用して、前記ＷＴＲＵがセカンダリストリームのランク２送信において使用することになる仮想サービンググラント（ＳＧ）を決定するように構成された少なくとも１つのプロセッサであって、前記オフセット情報は、送信時間間隔（ＴＴＩ）ベースで選択的に適用される、少なくとも１つのプロセッサと
を備え、
前記送受信機は、拡張個別チャネル（Ｅ−ＤＣＨ）多入力多出力（ＭＩＭＯ）送信上でデータを前記ノードＢに送信するように構成され、前記Ｅ−ＤＣＨ  ＭＩＭＯ送信は、前記決定された仮想ＳＧに関連付けられて構成された前記セカンダリストリームを含むこと
を特徴とするＷＴＲＵ。
【請求項２】
Ｅ−ＤＣＨパラメータは、前記ランク２送信のための最小トランスポートブロックサイズ（ＴＢＳ）を指定することを特徴とする請求項１に記載のＷＴＲＵ。
【請求項３】
前記ランク情報は、ランク２を許可する値またはランク２を許可しない値を示すことを特徴とする請求項１に記載のＷＴＲＵ。
【請求項４】
前記ランク情報は、前記ＴＴＩベースで適用されることを特徴とする請求項１に記載のＷＴＲＵ。
【請求項５】
前記少なくとも１つのプロセッサは、拡張トランスポートフォーマットコンビネーションインジケータ（Ｅ−ＴＦＣＩ）がランク２送信のための最小トランスポートブロックサイズ（ＴＢＳ）よりも実質的に小さい場合、ランク１のための拡張送信フォーマットコンビネーション（Ｅ−ＴＦＣ）選択手順を実行するように構成されたこと
をさらに備えたことを特徴とする請求項１に記載のＷＴＲＵ。
【請求項６】
前記送受信機は、前記プライマリストリームの拡張送信フォーマットコンビネーション（Ｅ−ＴＦＣ）選択手順の構成に基づいて、前記セカンダリストリームを送信するようにさらに構成されたこと
をさらに備えたことを特徴とする請求項１に記載のＷＴＲＵ。
【請求項７】
前記送受信機は、割り当てられたリソースを前記ノードＢから受信するようにさらに構成され、
現在の送信における前記ＷＴＲＵが、割り当てられたＳＧおよび前記決定された仮想ＳＧを利用しており、前記ＷＴＲＵが、前記Ｅ−ＤＣＨ  ＭＩＭＯ送信上でより高いデータレートで送信するのに十分な電力を有する場合、ビットがアンハッピーに設定されること
をさらに備えたことを特徴とする請求項１に記載のＷＴＲＵ。
【請求項８】
前記少なくとも１つのプロセッサは、再送のためにもう１つのセカンダリストリームのための拡張送信フォーマットコンビネーション（Ｅ−ＴＦＣ）選択手順を提供するように構成され、
もう１つのプライマリストリームのためにサポートされたＥ−ＴＦＣが前記もう１つのプライマリストリーム上の再送のためのブロックサイズよりも小さい場合、前記ＷＴＲＵは、ランク１送信を実行するように構成されたこと
をさらに備えたことを特徴とする請求項１に記載のＷＴＲＵ。
【請求項９】
前記少なくとも１つのプロセッサは、再送のためにもう１つのセカンダリストリームのための拡張送信フォーマットコンビネーション（Ｅ−ＴＦＣ）選択手順を利用するように構成され、
もう１つのプライマリストリームのＳＧに基づいた、スケジュールされたデータのビットの数が、ランク２送信のための最小トランスポートブロックサイズ（ＴＢＳ）よりも大きい場合、前記ＷＴＲＵは、前記決定された仮想ＳＧを使用するように構成されたこと
をさらに備えたことを特徴とする請求項１に記載のＷＴＲＵ。
【請求項１０】
前記少なくとも１つのプロセッサは、ランク２送信のための前記プライマリストリームの正規化残余電力マージン（ＮＲＰＭ）を推定するように構成され、前記プライマリストリームは、実質的に前記ＮＲＰＭの半分を使用するように構成されたこと
をさらに備えたことを特徴とする請求項１に記載のＷＴＲＵ。
【請求項１１】
無線送受信ユニット（ＷＴＲＵ）によって実行される方法であって、
前記ＷＴＲＵによって、ノードＢからランク情報およびオフセット情報を受信するステップと、
前記ＷＴＲＵによって、前記オフセット情報およびプライマリストリームの送信電力関連情報を使用して、前記ＷＴＲＵがセカンダリストリームのランク２送信において使用することになる仮想サービンググラント（ＳＧ）を決定するステップであって、前記オフセット情報は、送信時間間隔（ＴＴＩ）ベースで選択的に適用される、ステップと、
前記ＷＴＲＵによって、拡張個別チャネル（Ｅ−ＤＣＨ）多入力多出力（ＭＩＭＯ）送信上で前記ノードＢにデータを送信するステップであって、前記Ｅ−ＤＣＨ  ＭＩＭＯ送信は、前記決定された仮想ＳＧに関連付けられて構成された前記セカンダリストリームを含む、ステップと
を備えることを特徴とする方法。
【請求項１２】
Ｅ−ＤＣＨパラメータは、前記ランク２送信のための最小トランスポートブロックサイズ（ＴＢＳ）を指定することを特徴とする請求項１１に記載の方法。
【請求項１３】
前記ランク情報は、ランク２を許可する値またはランク２を許可しない値を示すことを特徴とする請求項１１に記載の方法。
【請求項１４】
前記ランク情報は、前記ＴＴＩベースで適用されることを特徴とする請求項１１に記載の方法。
【請求項１５】
前記ＷＴＲＵによって、拡張トランスポートフォーマットコンビネーションインジケータ（Ｅ−ＴＦＣＩ）がランク２送信のための最小トランスポートブロックサイズ（ＴＢＳ）よりも実質的に小さい場合、ランク１のための拡張送信フォーマットコンビネーション（Ｅ−ＴＦＣ）選択手順を実行するステップ
をさらに備えることを特徴とする請求項１１に記載の方法。
【請求項１６】
前記ＷＴＲＵによって、前記プライマリストリームの拡張送信フォーマットコンビネーション（Ｅ−ＴＦＣ）選択手順の構成に基づいて、前記セカンダリストリームを送信するステップ
をさらに備えることを特徴とする請求項１１に記載の方法。
【請求項１７】
前記ＷＴＲＵによって、割り当てられたリソースを前記ノードＢから受信するステップ
をさらに備え、
現在の送信における前記ＷＴＲＵが、割り当てられたＳＧを利用しており、前記決定された仮想ＳＧを利用しており、前記ＷＴＲＵが、前記Ｅ−ＤＣＨ  ＭＩＭＯ送信上でより高いデータレートで送信するのに十分な電力を有する場合、ビットがアンハッピーに設定されること
を特徴とする請求項１１に記載の方法。
【請求項１８】
前記ＷＴＲＵによって、再送のためにもう１つのセカンダリストリームのための拡張送信フォーマットコンビネーション（Ｅ−ＴＦＣ）選択手順を提供するステップ
をさらに備え、
もう１つのプライマリストリームのためにサポートされたＥ−ＴＦＣが前記もう１つのプライマリストリーム上の再送のためのブロックサイズよりも小さい場合、前記ＷＴＲＵは、ランク１送信を実行すること
を特徴とする請求項１１に記載の方法。
【請求項１９】
前記ＷＴＲＵによって、再送のためにもう１つのセカンダリストリームのための拡張送信フォーマットコンビネーション（Ｅ−ＴＦＣ）選択手順を利用するステップ
をさらに備え、
もう１つのプライマリストリームのＳＧに基づいた、スケジュールされたデータのビットの数が、ランク２送信のための最小トランスポートブロックサイズ（ＴＢＳ）よりも大きい場合、前記ＷＴＲＵは、前記決定された仮想ＳＧを使用すること
を特徴とする請求項１１に記載の方法。
【請求項２０】
前記ＷＴＲＵによって、ランク２送信のための前記プライマリストリームの正規化残余電力マージン（ＮＲＰＭ）を推定するステップであって、前記プライマリストリームは、実質的に前記ＮＲＰＭの半分を使用するように構成される、ステップ
をさらに備えることを特徴とする請求項１１に記載の方法。